(57)【要約】      （修正有）【課題】複数のカートリッジ・メモリを有するデータ・ストレージ・カートリッジを提供すること。【解決手段】データ・ストレージ・カートリッジ１００は、読み取り及び／書き込みアクセスのための、複数のパーティションに配列することができるデータを記憶するように構成されたデータ・ストレージ・メディア１０５と、複数のカートリッジ・メモリ１０４Ａ〜Ｅとを含む。各々のカートリッジ・メモリは、通信インターフェースとメモリとを含み、このメモリの情報は、データ・ストレージ・メディアの複数のパーティションの少なくとも１つとの関連付けを可能にするようにフォーマットされる。このように、カートリッジ・メモリの各々は、別個のユーザを有して、そのユーザに、別個のパーティション又はパーティションのサブセットに対するアクセスを与えることができる。【選択図】図３
2007242218.tif 000002
【特許請求の範囲】
【請求項１】
データ・ストレージ・カートリッジであって、
読み取り及び／又は書き込みアクセスのためのデータを記憶するように構成されたデータ・ストレージ・メディアであって、前記データを複数のパーティションに配列することができる、データ・ストレージ・メディアと、
前記データ・ストレージ・カートリッジの外部で通信するように構成された通信インターフェース、及び、
情報を記憶し、前記情報を前記通信インターフェースに通信するように構成されたメモリ・システムであって、前記情報が、前記データ・ストレージ・メディアの前記複数のパーティションの少なくとも１つとの関連付けを可能にするようにフォーマットされた、メモリ・システム、
を各々が含む複数のカートリッジ・メモリと、
を含むデータ・ストレージ・カートリッジ。
【請求項２】
前記カートリッジ・メモリの各々が、別個にアドレス指定可能である、請求項１に記載のデータ・ストレージ・カートリッジ。
【請求項３】
前記カートリッジ・メモリの各々が、前記メモリ・システムに対する読み取り及び／又は書き込みアクセスを取得するための別個のパスワードのための備えを含む、請求項２に記載のデータ・ストレージ・カートリッジ。
【請求項４】
前記カートリッジ・メモリの各々の前記メモリ・システムが、前記データ・ストレージ・メディアの前記パーティションのサブセットとの関連付けを可能にするように前記情報をフォーマットするように構成される、請求項１に記載のデータ・ストレージ・カートリッジ。
【請求項５】
前記カートリッジ・メモリの少なくとも１つの前記メモリ・システムが、前記情報をフォーマットして、別の前記カートリッジ・メモリの前記情報の少なくとも一部との間で冗長性を可能にするように構成される、請求項１に記載のデータ・ストレージ・カートリッジ。
【請求項６】
データ・ストレージ・カートリッジであって、
コンテナと、
前記コンテナによって支持され、読み取り及び／又は書き込みアクセスのためのデータを記憶するように構成されたデータ・ストレージ・メディアであって、前記データを複数のパーティションに配列することができる、データ・ストレージ・メディアと、
前記データ・ストレージ・カートリッジの外部で通信するように構成された通信インターフェース、及び、
情報を記憶し、前記情報を前記通信インターフェースに通信するように構成されたメモリ・システムであって、前記情報が、前記データ・ストレージ・メディアの前記複数のパーティションの少なくとも１つとの関連付けを可能にするようにフォーマットされた、メモリ・システム、
を各々が含み、
各々が、前記通信インターフェースが前記データ・ストレージ・カートリッジの外部で同時にアクセス可能になるように位置決めされた前記コンテナによって支持される、
複数のカートリッジ・メモリと、
を含むデータ・ストレージ・カートリッジ。
【請求項７】
前記通信インターフェースがアンテナを含み、前記複数のカートリッジ・メモリの各々は、前記同時アクセスを可能にするために前記アンテナが同様な方向に方位付けられるように前記コンテナによって支持された、請求項６に記載のデータ・ストレージ・カートリッジ。
【請求項８】
前記カートリッジ・メモリの各々の前記通信インターフェースが、異なる周波数において動作する無線周波インターフェースを含む、請求項７に記載のデータ・ストレージ・カートリッジ。
【請求項９】
前記通信インターフェースが、誘導アンテナループ及びコンデンサを含む回路を含み、前記コンデンサが、前記異なる周波数を与えるように異なる静電容量を有する、請求項８に記載のデータ・ストレージ・カートリッジ。
【請求項１０】
前記カートリッジ・メモリの各々の前記通信インターフェースが、別個にアドレス指定可能なデジタル・インターフェースを含む、請求項７に記載のデータ・ストレージ・カートリッジ。
【請求項１１】
データ・ストレージ・カートリッジであって、
読み取り及び／又は書き込みアクセスのためのデータを記憶するように構成されたデータ・ストレージ・メディアと、
前記データ・ストレージ・カートリッジの外部で通信するように構成された通信インターフェース、及び、
情報を記憶し、前記情報を前記通信インターフェースに通信するように構成されたメモリ・システム、
を各々が含む複数のカートリッジ・メモリと、
を含むデータ・ストレージ・カートリッジ。
【請求項１２】
前記カートリッジ・メモリの各々の前記通信インターフェースが、異なる周波数において動作する無線周波インターフェースを含む、請求項１１に記載のデータ・ストレージ・カートリッジ。
【請求項１３】
前記通信インターフェースが、誘導アンテナループ及びコンデンサを含む回路を含み、前記コンデンサが、前記異なる周波数を与えるように異なる静電容量を有する、請求項１２に記載のデータ・ストレージ・カートリッジ。
【請求項１４】
前記カートリッジ・メモリの各々の前記通信インターフェースが、別個にアドレス指定可能なデジタル・インターフェースを含む、請求項１１に記載のデータ・ストレージ・カートリッジ。
【請求項１５】
前記通信インターフェースがアンテナを含み、前記複数のカートリッジ・メモリの各々は、同時アクセスを可能にするために前記アンテナが同様の方向に方位付けられるように向けられた、請求項１１に記載のデータ・ストレージ・カートリッジ。
【請求項１６】
データ・ストレージ・カートリッジであって、
データ・ストレージ・メディアによって記憶されたデータに対する読み取り及び／又は書き込みアクセスのために、前記データ・ストレージ・メディアを支持するように構成されたコンテナと、
前記データ・ストレージ・カートリッジの外部で通信するように構成された通信インターフェース、及び、
情報を記憶し、前記情報を前記通信インターフェースに通信するように構成されたメモリ・システムであって、前記情報が、前記データ・ストレージ・メディアの前記データの複数のパーティションの少なくとも１つとの関連付けを可能にするようにフォーマットされた、メモリ・システム、
を各々が含み、
各々が、前記通信インターフェースが前記データ・ストレージ・カートリッジの外部で同時にアクセス可能になるように位置決めされた前記コンテナによって支持される、
複数のカートリッジ・メモリと、
を含むデータ・ストレージ・カートリッジ。
【請求項１７】
前記通信インターフェースがアンテナを含み、前記複数のカートリッジ・メモリの各々は、前記同時アクセスを可能にするために前記アンテナが同様の方向に方位付けられるように前記コンテナによって支持された、請求項１６に記載のデータ・ストレージ・カートリッジ。
【請求項１８】
前記カートリッジ・メモリの各々の前記通信インターフェースが、異なる周波数において動作する無線周波インターフェースを含む、請求項１７に記載のデータ・ストレージ・カートリッジ。
【請求項１９】
前記通信インターフェースが、誘導アンテナループ及びコンデンサを含む回路を含み、前記コンデンサが、前記異なる周波数を与えるように異なる静電容量を有する、請求項１８に記載のデータ・ストレージ・カートリッジ。
【請求項２０】
前記カートリッジ・メモリの各々の前記通信インターフェースが、個々にアドレス指定可能なデジタル・インターフェースを含む、請求項１７に記載のデータ・ストレージ・カートリッジ。
【発明の詳細な説明】
【技術分野】
【０００１】
関連出願の相互参照
本出願と同じ日付に出願された本発明の譲受人に譲渡された米国明細書連続番号第１１／３６７０５８号（ＴＵＣ９２００５０１７７ＵＳ２）は、データ・ストレージ・カートリッジのデータ・ストレージ・メディア及びカートリッジ・メモリの管理に関する。
【０００２】
本発明は、データ・ストレージ・メディアを含むデータ・ストレージ・カートリッジに関し、より特定的には、カートリッジ・メモリを有するデータ・ストレージ・カートリッジに関する。
【背景技術】
【０００３】
データ・ストレージ・カートリッジは、当業者に知られるように、例えば少なくとも１つのリール上に巻かれた磁気テープ、例えばＣＤ、ＤＶＤ、ＨＤ−ＤＶＤ、その他の光ディスク・メディアといった光ディスク、ハードディスクドライブ、フロッピー（登録商標）ディスク、フラッシュメモリのようなデータ・ストレージ・メディアを含む。多くの場合、データ・ストレージ・カートリッジは、さらに、カートリッジ・メモリを含む。カートリッジ・メモリは、再書き込み可能メモリ、又は追記型メモリ、又は一部が追記型であるように保護された再書き込み可能メモリを含むことができる。メモリはプロセッサによって動作させることができる。さらに、カートリッジ・メモリは、データ・ストレージ・カートリッジの外部で通信するための通信インターフェースを含むことができる。通信インターフェースは、外部通信を実現するためのアンテナを有することができる。カートリッジ・メモリは、外部インターフェース、例えばデータ・ストレージ・メディアに関してデータを読み取る及び／又は書き込むようにもされたデータ・ストレージ・ドライブのインターフェースによるアクセスを可能にするためにアンテナを方位付けるように、データ・ストレージ・カートリッジ内に位置決めすることができる。さらに、カートリッジ・メモリは、他の外部インターフェース、例えばデータ・ストレージ・カートリッジをストレージ・シェルフと１つ又は複数のデータ・ストレージ・ドライブとの間で移送するようにされた自動データ・ストレージ・ライブラリのピッカーのインターフェースによっても読み取られるように、位置決めすることができる。カートリッジ・メモリは、当業者に知られるように、バッテリのような内部電源を含んでもよいし、又は、通信インターフェース又は電力インターフェースにより電力を受け取ってもよい。
【０００４】
【非特許文献１】Ｓｔａｎｄａｒｄ  ＥＣＭＡ−３１９、２００１年６月の「Ｄａｔａ  Ｉｎｔｅｒｃｈａｎｇｅ  ｏｎ１２，７ｍｍ  ３８４−Ｔｒａｃｋ  Ｍａｇｎｅｔｉｃ  Ｔａｐｅ  Ｃａｒｔｒｉｄｇｅｓ−Ｕｌｔｉｕｍ−１  Ｆｏｒｍａｔ」、ＡｎｎｅｘＤ−ＬＴＯ  Ｃａｒｔｒｉｄｇｅ  Ｍｅｍｏｒｙ、９５−１１５ページ
【発明の開示】
【発明が解決しようとする課題】
【０００５】
本発明は、データ・ストレージ・カートリッジの改良に関わる。
【課題を解決するための手段】
【０００６】
本発明は、データ・ストレージ・カートリッジの実施形態を含む。
【０００７】
１つの実施形態においては、データ・ストレージ・カートリッジは、読み取り及び／又は書き込みアクセスのためのデータを記憶するように構成されたデータ・ストレージ・メディアであって、データを複数のパーティションに配列することができる、データ・ストレージ・メディアと、複数のカートリッジ・メモリと、を含む。各々のカートリッジ・メモリは、データ・ストレージ・カートリッジの外部で通信するように構成された通信インターフェース、及び、情報を記憶し、情報を通信インターフェースに通信するように構成されたメモリ・システムであって、情報が、データ・ストレージ・メディアの複数のパーティションの少なくとも１つとの関連付けを可能にするようにフォーマットされた、メモリ・システム、を含む。したがって、カートリッジ・メモリの各々は、別個のユーザを有することができ、そのユーザに対して別個のパーティションへのアクセスを与える。
【０００８】
さらに別の実施形態においては、各々のカートリッジ・メモリは、別個にアドレス指定可能である。
【０００９】
さらに別の実施形態においては、カートリッジ・メモリの各々が、別個にアドレス指定可能なインターフェースにより、メモリ・システムに対する読み取り及び／又は書き込みアクセスを取得するための別個のパスワードのための備えを含む。
【００１０】
別の実施形態においては、カートリッジ・メモリの各々のメモリ・システムが、データ・ストレージ・メディアのパーティションのサブセットとの関連付けを可能にするように情報をフォーマットするように構成される。
【００１１】
さらに別の実施形態においては、カートリッジ・メモリの少なくとも１つのメモリ・システムが、情報をフォーマットして、別の前記カートリッジ・メモリの情報の少なくとも一部との間で冗長性を可能にするように構成される。
【００１２】
別の実施形態においては、データ・ストレージ・カートリッジは、コンテナと、コンテナによって支持され、読み取り及び／又は書き込みアクセスのためのデータを記憶するように構成されたデータ・ストレージ・メディアであって、データを複数のパーティションに配列することができる、データ・ストレージ・メディアと、を含む。カートリッジ・メモリの各々は、データ・ストレージ・カートリッジの外部で通信するように構成された通信インターフェース、及び、情報を記憶し、情報を通信インターフェースに通信するように構成されたメモリ・システムであって、情報が、データ・ストレージ・メディアの複数のパーティションの少なくとも１つとの関連付けを可能にするようにフォーマットされた、メモリ・システム、を含み、カートリッジ・メモリの各々は、通信インターフェースがデータ・ストレージ・カートリッジの外部で同時にアクセス可能になるように位置決めされたコンテナによって支持される。
【００１３】
さらに別の実施形態においては、通信インターフェースがアンテナを含み、複数のカートリッジ・メモリの各々は、同時アクセスを可能にするためにアンテナが同様な方向に方位付けられるようにコンテナによって支持される。
【００１４】
さらに別の実施形態においては、カートリッジ・メモリの各々の通信インターフェースは、異なる周波数において動作する無線周波インターフェースを含む。
【００１５】
さらに別の実施形態においては、通信インターフェースは、誘導アンテナループ及びコンデンサを含む回路を含み、コンデンサが、異なる周波数を与えるように異なる静電容量を有する。
【００１６】
別の実施形態においては、カートリッジ・メモリの各々の通信インターフェースは、別個にアドレス指定可能なデジタル・インターフェースを含む。
【００１７】
別の実施形態においては、データ・ストレージ・カートリッジは、読み取り及び／又は書き込みアクセスのためのデータを記憶するように構成されたデータ・ストレージ・メディアと、データ・ストレージ・カートリッジの外部で通信するように構成された通信インターフェース、及び、情報を記憶し、情報を通信インターフェースに通信するように構成されたメモリ・システム、を各々が含む複数のカートリッジ・メモリと、を含む。
【００１８】
本発明のより完全な理解のために、添付の図面に関連する以下の詳細な説明を参照されたい。
【発明を実施するための最良の形態】
【００１９】
本発明は、同様な番号が同じ又は類似した要素を表わす図に関する以下の説明における好ましい実施形態により説明される。本発明は、本発明の目的を達成するための最良の形態において説明されているが、当業者であれば、本発明の精神又は範囲から逸脱することなく、これらの教示を考慮して変形態様を実現できることを理解するであろう。
【００２０】
図１及び図２を参照すると、本発明によるデータ・ストレージ・カートリッジ１００の実施形態は、１つ又は複数の部品を含むことができるカートリッジ・シェルといったコンテナ１０１と、テープ・リール１０６上に取り付けられた磁気テープといったデータ・ストレージ・メディア１０５にアクセスするための、例えば、データ・ストレージ・ドライブにより開くことができるカートリッジ・ドア１０２とを含む。磁気テープの場合においては、カートリッジ１００がデータ・ストレージ・ドライブに搭載されると、テープ・リール１０６が自由に回転することを可能にするカートリッジ・ブレーキ解除ボタン１０３を設けることができる。磁気テープ・カートリッジの１つの実施例は、ＬＴＯ（リニア・テープ・オープン）技術に基づくカートリッジを含む。
【００２１】
本発明によれば、複数のカートリッジ・メモリ１０４Ａ、１０４Ｂ、１０４Ｃ、１０４Ｄ及び１０４Ｅが与えられている。カートリッジ・メモリの各々は、例えば、遠隔操作できるインターフェースを有するトランスポンダを含み、これは、例えば、組み立てられる時にカートリッジに密閉することによりカートリッジ１００内に保持される。当業者であれば、密閉プロセスは、単一のカートリッジ・メモリにも適用されることが分かるであろう。
【００２２】
図示されるデータ・ストレージ・メディアは、単一リール磁気テープ・カートリッジである。磁気テープ・カートリッジは、さらに、テープがカートリッジのリール間で給送される、二重リール・カートリッジを含むこともできる。或いは、データ・ストレージ・メディアは、携帯型カートリッジによって取り付ける又は支持することができるいずれかのメディア又はデバイスを含むことができる。実施例は、当業者に知られるように、例えば、ＣＤ、ＤＶＤ、ＨＤ−ＤＶＤ、その他の光ディスク・メディアといった光ディスク、ハードディスクドライブ、フロッピー（登録商標）ディスク、フラッシュメモリなどを含む。
【００２３】
図３を参照すると、データ・ストレージ・カートリッジ１００（概略的に示す）が搭載された磁気テープ・ドライブ１１５が示されている。本発明を採用することができる磁気テープ・ドライブの１つの実施例は、磁気テープ・カートリッジ１００に対して望ましい動作を実行するマイクロコードなどをもつ、ＬＴＯ技術に基づくＩＢＭ（ＩＢＭ  Ｃｏｒｐｏｒａｔｉｏｎの商標）３５８０  Ｕｌｔｒｉｕｍ磁気テープ・ドライブである。当該実施例においては、磁気テープ１０５は、カートリッジ１００内のリール１０６に巻きつけられ、磁気テープ・ドライブ１１５に搭載された時には、カートリッジリールと磁気テープ・ドライブ内の巻き取りリール１１６との間で給送される。
【００２４】
磁気テープ・ドライブは、例えば、遠隔操作できる方法により、磁気テープ・カートリッジ１００のカートリッジ・メモリ１０４Ａ、１０４Ｂ、１０４Ｃ、１０４Ｄ及び１０４Ｅの１つ又はそれ以上から情報を読み取るため及び／又はこれに情報を書き込むためのメモリ・インターフェース１１７を含む。
【００２５】
読み取り／書き込みシステムは、磁気テープ１０５といったデータ・ストレージ・メディアの情報を読み取り及びこれに情報を書き込むために与えられており、例えば、ヘッドを磁気テープ１０５の横方向に移動させるためのサーボ・システムをもつ読み取り／書き込みヘッド・システム１１８と、読み取り／書き込みサーボ制御部１１９と、磁気テープ１０５をカートリッジ・リール１０６と巻き取りリール１１６との間、及び読み取り／書き込みヘッド・システム１１８にわたり移動させる駆動モータ・システム１２０とを含むことができる。読み取り／書き込み及びサーボ制御部１１９は、駆動モータ・システム１２０の動作を制御して、磁気テープ１０５が所望の速度で読み取り／書き込みヘッド・システム１１８にわたり移動するようにし、１つの実施例においては、磁気テープ１０５に対する読み取り／書き込みヘッド・システムの位置を求める。１つの実施例においては、読み取り／書き込みヘッド・システム１１８、及び、読み取り／書き込み及びサーボ制御部１１９は、磁気テープ１０５上のサーボ信号を採用して、読み取り／書き込みヘッド・システムの位置を求め、別の実施例においては、読み取り／書き込み及びサーボ制御部１１９は、タコメータなどを用いてリールの少なくとも１つを採用して、磁気テープ１０５に対する読み取り／書き込み及びサーボ・ヘッド・システムの位置を求める。読み取り／書き込みヘッド・システム１１８、及び、読み取り／書き込み及びサーボ制御部１１９は、ハードウェア要素を含むことができ、ソフトウェア、マイクロコード、又はファームウェアにより動作するプロセッサを含むいずれかの好適なロジックの形態を含むか、ハードウェア・ロジックを含むか、又はこれらの組み合わせを含んでもよい。
【００２６】
制御システム１２４は、メモリ・インターフェース１１７と通信し、例えば読み取り／書き込み及びサーボ制御部１１９において、読み取り／書き込みシステムと通信する。制御システム１２４は、ソフトウェア、マイクロコード、又はファームウェアにより動作するプロセッサを含むいずれかの好適なロジックの形態を含むか、ハードウェア・ロジックを含むか、又はこれらの組み合わせを含んでもよい。
【００２７】
データ・ストレージ・メディア及び関連するドライブの図示される代替的な実施形態は、当業者に知られている。
【００２８】
制御システム１２４は、典型的には、１つ又は複数のホスト・システム１２５と通信し、ホストにおいて発生するコマンドに従って、データ・ストレージ・ドライブ１１５を動作させる。或いは、データ・ストレージ・ドライブ１１５は、ライブラリといったサブシステムの一部を形成することができ、さらに、サブシステムからコマンドを受信し、これに応答することができる。
【００２９】
図示のように、データ・ストレージ・ドライブ１１５は、磁気テープ・カートリッジ１００のカートリッジ・メモリ１０４Ａ、１０４Ｂ、１０４Ｃ、１０４Ｄ及び１０４Ｅに情報を与え、磁気テープ・カートリッジ１００の磁気テープ１０５にデータを与える。
【００３０】
図５を参照すると、磁気テープ１０５又はその他のデータ・ストレージ・メディアは、多くの方法で編成することができる。典型的には、磁気テープは、平行なトラックに配置され、さらに、平行なトラックのグループの幾つかの平行な蛇行するラップに配置することができる。１つの実施例においては、磁気テープは、第１方向において縦方向に移動され、ヘッド・システムは１つのラップに関するデータを読み取り及び／又は書き込み、反対方向に移動するように逆にされて、ヘッド・システムは別のラップに移る。
【００３１】
図５においては、説明目的のために、情報が単一のラップとして配列されて示されている。データ・ストレージ・メディアは、データを記憶するための高レベルの容量を含むことができ、１２７Ａ、１２７Ｂ、１２７Ｃなどの複数のパーティションに分割することができる。パーティションの各々は、磁気テープに沿って又はデータ・ストレージ・メディア内で論理的に編成されてもよいし、又は平行トラックのグループ群といった物理的に別個の領域にあってもよい。
【００３２】
磁気テープに記録されたデータは、典型的には、「データ・セット」又は同様のデータ配列の形態である。１つのパーティションは、例えば、数百、数千のデータ・セットを含むことができる。磁気テープ１０５の前端部又はその近くの領域を与えることができ、当業者に知られるように「テープ開始点」（ＢＯＴ）と呼ばれる。単一リール磁気テープ・カートリッジにおいては、これは、図３に示す磁気テープ・ドライブ１１５の巻き取りリール１１６に搭載された磁気テープ（リーダー・ブロック）の前端部近くの１つ又は複数のラップ領域である。二重リール磁気テープ・カートリッジにおいては、一方のリールと他方のリールとの間のほぼ中間である中央近くの磁気テープ領域が、典型的には、ＢＯＴと指定され、１つ又は複数のラップを含むことができる。このような二重リール磁気テープ・カートリッジは、さらに、中間点読み取りテープとも呼ばれる。このＢＯＴ領域は、典型的には、索引といった磁気テープについての情報が保持される場所であり、図５のパーティション１２７Ａ、１２７Ｂ、１２７Ｃなどの位置及びこれらのパーティションについてのその他の情報の表示を含むことができる。
【００３３】
図４を参照すると、カートリッジ・メモリ１０４Ａ、１０４Ｂ、１０４Ｃ、１０４Ｄ及び１０４Ｅの実施形態１０４は、データ・ストレージ・カートリッジの外部で通信するように構成された通信インターフェース１２６と、情報を記憶し、通信インターフェースに情報を通信するように構成されたメモリ・システム１３０とを含む。
【００３４】
カートリッジ通信インターフェース１２６は、データ・ストレージ・カートリッジ１００がデータ・ストレージ・ドライブ１１５に取り付けられた時に、データ・ストレージ・ドライブのインターフェース１１７から電力及びデータを受け取り、該インターフェースにデータを送信する無線インターフェース又はトランスポンダを含むことができる。例えば、無線インターフェース１２６は、ＲＦ無線インターフェースである。実施例が米国特許番号第４，９４１，２０１号において説明されている。高周波誘導無線インターフェースをさらに採用することができ、これは、磁気ストレージ・メディア１０５が信号によって悪影響を及ぼされることのないくらい十分に高い周波数のものである。実施例が、米国特許番号第４，６５０，９８１号、米国特許番号第４，７５８，８３６号及び米国特許番号第３，８５９，６２４号において説明されている。或いは、無線インターフェースのための誘導アンテナは、磁気テープ１０５から遮蔽されている。
【００３５】
アンテナ１３５は、データ・ストレージ・ドライブのＲＦインターフェースからＲＦ信号を受信し、カプラー１３６は、受信した信号を、電力変換回路１４０及びデータ復調器１４２に供給する。電力変換回路１４０は、受信した信号を電流に変換して、メモリ・システム１３０、データ復調器１４２、及びデータ変調器１４５を含む、電力を必要とするデータ・ストレージ・カートリッジ内のデバイスの全てに、ライン１４４上で電流を供給する。アンテナ１３５から受信した信号はエンコードすることができ、データ復調器１４２はカプラー１３６から入ってくるコード化信号を受信し、その信号を復調して、メモリ・システム１３０にデータ信号を供給する。メモリ・システム１３０からのデータ信号は、データ変調器１４５に与えられて、該データ変調器は、カプラー１３６及びアンテナ１３５によるデータ・ストレージ・ドライブのＲＦインターフェースへの伝送のために信号をエンコードする。
【００３６】
メモリ・システム１３０は、例えば、携帯型コンピュータのような低電力環境で動作するようにされたロジック又はインテル・ペンティアム（登録商標）・チップといったマイクロプロセッサ・チップのようなメモリ・プロセッサ１３７と、同様に低電力環境で動作するようにされた関連の不揮発性メモリ１３１とを含むことができる。
【００３７】
プロセッサは、好適なセキュリティ及び暗号化／暗号化解除アルゴリズムと、メモリ１３１にアクセスし、これを動作させるためのロジックとを含むコンピュータ可読プログラム・コードを組み込むことができる。メモリ１３１は、当業者に知られるように、不揮発性ストレージを含むことができる。不揮発性ストレージは、ロジック又はマイクロプロセッサ１３７に取り付けられた別個のチップを含んでもよいし、又は、同じチップの一部を含んでもよい。コンピュータ可読プログラム・コードは、プロセッサ１３７の不揮発性内部メモリ内に記憶されてもよいし、又は、不揮発性メモリ１３１内に記憶され、プロセッサ１３７にロードされてもよい。或いは、カートリッジ・メモリ１０４は、データ・ストレージ・ドライブの制御部若しくはプロセッサ又は関連するホスト・システムによってアクセスされる不揮発性メモリ１３１により動作されることができる。
【００３８】
図６を参照すると、図１、図２、図３及び図４の磁気テープ・カートリッジ１００のカートリッジ・メモリ１０４の内容の例が示されている。カートリッジ・メモリ１０４及びその内容の１つの実施例が、非特許文献１に説明されている。１つの実施例として、カートリッジ・メモリ１０４は、情報が「ページ」に編成された種々のサイズの領域に配置される。カートリッジ・メモリ１０４は、当業者に知られるように、「スマート・カード」において用いられるメモリ及びトランスポンダと同様なものとすることができる。当業者であれば、カートリッジ・メモリの付加的な種類を認識できるであろう。
【００３９】
メモリ・システム１３０のメモリ１３１は、図６に示すように、ヘッダ１５０と、種々の情報領域１５１、１５２とを含むようにフォーマットすることができる。ヘッダ１５０は、情報領域について、及び情報の用途についての情報を組み込み、かつ特定の識別及びセキュリティ情報を組み込むことができる。
【００４０】
本発明の１つの実施形態によれば、メモリ・システム１３０は、データ・ストレージ・メディアの複数のパーティション１２７Ａ、１２７Ｂ、１２７Ｃなどの少なくとも１つとの関連付けを可能にするようにフォーマットされる。例えば、カートリッジ・メモリ１０４Ｃのメモリ・システムの情報領域１５１は、図５のパーティション１２７Ｃと関連付けることができる。
【００４１】
このように、図１、図２、図３及び図４の磁気テープ・カートリッジ１００の各々のカートリッジ・メモリ１０４Ａ、１０４Ｂ、１０４Ｃ、１０４Ｄ及び１０４Ｅは、図５のデータ・ストレージ・メディアの異なるパーティション１２７Ａ、１２７Ｂ、１２７Ｃなどと関連付けることができる。この関連付けは、関連するパーティションのデータに関する情報がストレージ領域内に含まれていることを意味する。さらに、関連付けは、データのセキュリティ及び取り扱いを含む、データ・ストレージ・ドライブ又はホストによるパーティションの管理を可能にするストレージ領域内に含まれる情報を含むことができる。
【００４２】
さらに、各々の論理的なパーティションは、それ自体の物理的オーナー、例えば、データ・ストレージ・ドライブ又はホストのユーザを有することができる。このように、物理的データ・ストレージ・メディア又はカートリッジの複数のオーナーが存在し、各々のオーナーは、別個のカートリッジ・メモリ１０４Ａ、１０４Ｂ、１０４Ｃ、１０４Ｄ及び１０４Ｅの情報の組み込みを管理する。
【００４３】
複数のパーティションを提供する複数のカートリッジ・メモリを用いると、テープ・カートリッジに対するアクセスが仮想化され、カートリッジは、データ・ストレージ・デバイスが取り付けられるストレージ・エリア・ネットワーク（ＳＡＮ）とインターフェースできるようになる。
【００４４】
さらに別の実施形態においては、カートリッジ・メモリ１０４Ａ、１０４Ｂ、１０４Ｃ、１０４Ｄ及び１０４Ｅの各々は、別個にアドレス指定可能である。
【００４５】
１つの実施形態においては、カートリッジ・メモリの各々の通信インターフェースは、異なる周波数で動作する無線周波インターフェースを含む。例えば、図４の通信インターフェース１２６は、誘導アンテナ・ループ及びコンデンサを含む回路１３５を含み、コンデンサは異なる周波数を与えるように、異なる静電容量を有している。異なる周波数は、或いは、全ての周波数における通信により、カートリッジ・メモリの１つより多いメモリ又はそのすべてに対する同時アクセスを可能にし、又は、特定の周波数において、１つのカートリッジ・メモリだけに対するアクセスを可能にする。
【００４６】
或いは、カートリッジ・メモリの各々の通信インターフェース１２６は、別個にアドレス指定可能なデジタル・インターフェースを含む。例えば、各々のカートリッジ・メモリは、それ自体の固有の識別子を有することができる。（カートリッジ・メモリとの間で書き込み及び読み取りを行うための）入力／出力（Ｉ／Ｏ）コマンドに埋め込まれる識別子を必要とすることにより、個々のカートリッジ・メモリの読み取り及びこれに対する書き込みが実現される。
【００４７】
さらに別の実施形態においては、カートリッジ・メモリの各々は、メモリ・システムに対する読み取り及び／又は書き込みアクセスを取得するための別個のパスワードの備えを含む。パスワードは、図６の不揮発性メモリ１３１のヘッダ１５０内に記憶することができる。「パスワード」という用語は、カートリッジ・メモリ及び／又は関連するパーティションの情報に対するユーザ・アクセスを可能にするためのいずれかの好適な認証アルゴリズムを指すことが意図される。
【００４８】
さらに別の実施形態においては、カートリッジ・メモリの各々のメモリ・システムは、データ・ストレージ・メディアの複数のパーティション１２７Ａ、１２７Ｂ、１２７Ｃなどのサブセットとの関連付けを可能にするように情報をフォーマットするように構成される。例えば、カートリッジ・メモリ１０４Ｃのメモリ・システムの情報領域１５１は、図５のパーティション１２７Ｂ及び１２７Ｃと関連付けられることができる。
【００４９】
さらに別の実施形態においては、カートリッジ・メモリの少なくとも１つのメモリ・システムは、情報をフォーマットして、別のカートリッジ・メモリの情報の少なくとも一部との間で冗長性を可能にするように構成される。例えば、カートリッジ・メモリ１０４Ｃのメモリ・システムの情報領域１５１は、パーティション１２７Ｂと関連付けられることができ、情報領域１５２は、カートリッジ・メモリ１０４Ｂの情報領域の少なくとも一部又はヘッダの少なくとも一部を複製することができる。さらに、フェールオーバー情報をヘッダ１５０又は情報領域１５１に与えて、カートリッジ・メモリの１つの障害が別のカートリッジ・メモリにおける冗長情報にフェールオーバーを生じさせ、従って、カートリッジの障害は生じさせないようにすることができる。プロセッサ１３７は、フェールオーバーをユーザに意識させるのに必要なアルゴリズムを有することができ、及び／又は、ユーザ又は管理者にエラー・フラグ又はメッセージを与えることができる。
【００５０】
図１を参照すると、本発明の実施形態によれば、カートリッジ・メモリ１０４Ａ、１０４Ｂ、１０４Ｃ、１０４Ｄ及び１０４Ｅの各々が、通信インターフェースが図３のデータ・ストレージ・ドライブ１１５のインターフェース１１７により、データ・ストレージ・カートリッジ１００の外部で同時にアクセス可能になるように位置決めされたコンテナ１０１により支持される。図４を参照すると、１つの実施形態においては、カートリッジ・メモリは、同時アクセスを可能にするためにカートリッジの各々のアンテナ１３５が同様な方向に方位付けられるようにコンテナにより支持される。実施例においては、カートリッジ・メモリの各々は、データ・ストレージ・ドライブ又は自動データ・ストレージ・ライブラリのピッカーのいずれかが、カートリッジに対して相対的に異なる角度のカートリッジ・メモリの全てに対して同時にアクセスできるように、図１のコンテナ１００の底部及び側部に対してほぼ４５度の角度に向けられる。
【００５１】
本発明の好ましい実施形態が詳細に説明されたが、当業者であれば、特許請求の範囲において述べられる本発明の範囲から逸脱することなく、これらの実施形態に変更及び調整が想起され得ることが明らかである。
【図面の簡単な説明】
【００５２】
【図１】コンテナの上部が除去された、本発明の実施形態による複数のカートリッジ・メモリを有するデータ・ストレージ・カートリッジの等角図である。
【図２】磁気テープ・データ・ストレージ・メディアをもつ図１のデータ・ストレージ・カートリッジの概略図である。
【図３】データ・ストレージ・カートリッジ及びデータ・ストレージ・ドライブの概略図である。
【図４】図１のカートリッジ・メモリの実施形態の概略図である。
【図５】パーティション化されたデータ・ストレージ・メディアの概略図である。
【図６】図４のカートリッジ・メモリのメモリ・システムのフォーマットの実施形態の概略図である。
【符号の説明】
【００５３】
１００：データ・ストレージ・カートリッジ
１０１：コンテナ
１０４：カートリッジ・メモリ
１０５：データ・ストレージ・メディア
【図１】
2007242218.tif 000003
【図２】
2007242218.tif 000004
【図３】
2007242218.tif 000005
【図４】
2007242218.tif 000006
【図５】
2007242218.tif 000007
【図６】
2007242218.tif 000008